(57)【要約】【課題】制御信号の送信データ量を少なくすることにより、送信側の消費電力または受信側の干渉量を抑制すること。【解決手段】通信端末装置１００は、複数の基地局装置からデータを受信する。第１の伝送レート要求用信号生成部１０４は、在圏セルの基地局装置との回線品質を示すＣＱＩを生成する。第２の伝送レート要求用信号生成部１０５は、隣接セルの基地局装置との回線品質を示すＣＱＩを生成する。選択部１０６は、第２伝送レート要求用信号生成部１０５から入力されたＣＱＩの全ビットのうちの下位桁から所定桁数に対応する所定数のビットを選択する。通信端末装置１００は、在圏セルの基地局装置に対してＣＱＩの全ビットを送信するとともに、隣接セルの基地局装置に対して、選択部１０６で選択した所定数のビットのＣＱＩを送信する。【選択図】図２
2014171008.tif 000002
【特許請求の範囲】
【請求項１】
複数の基地局装置からデータを受信する通信端末装置であって、
在圏セルの基地局装置との間における通信の制御に用いる第１制御信号を生成する第１生成手段と、
前記在圏セルに隣接する隣接セルの基地局装置との間における通信の制御に用いる第２制御信号を生成する第２生成手段と、
前記第２制御信号の全ビットのうちの下位桁から前記全ビットの桁数よりも少ない所定桁数に対応する所定数のビットを選択する選択手段と、
前記第１制御信号の全ビットを前記在圏セルの基地局装置に対して送信するとともに、前記選択手段により選択した前記所定数のビットを前記隣接セルの基地局装置に対して送信する送信手段と、
を具備する通信端末装置。
【請求項２】
前記選択手段は、
前記第１制御信号の示す値と前記第２制御信号の示す値との差分が所定値未満の場合には、前記所定数を「０」とする、
請求項１記載の通信端末装置。
【請求項３】
前記選択手段は、
前記在圏セルと前記隣接セルとがオーバーラップする通信システムを使用する場合には、前記在圏セルと前記隣接セルとがオーバーラップしない通信システムを使用する場合と比べて前記所定数を増加させる、
請求項１記載の通信端末装置。
【請求項４】
前記選択手段は、
特定のタイミングにおいては、前記所定数のビットに加えて、前記全ビットのうちの前記所定数のビット以外のビットを選択し、
前記送信手段は、
前記選択手段により選択した前記所定数のビットと前記所定数のビット以外のビットとを前記隣接セルの基地局装置に対して送信する、
請求項１記載の通信端末装置。
【請求項５】
前記選択手段は、
前記特定のタイミングである、通信開始時刻後に最初に前記第２制御信号を送信する際においては、前記所定数のビットに加えて、前記全ビットのうちの前記所定数のビット以外のビットを選択する、
請求項４記載の通信端末装置。
【請求項６】
前記選択手段は、
前記特定のタイミングである、在圏セルを変更した際においては、前記所定数のビットに加えて、前記全ビットのうちの前記所定数のビット以外のビットを選択する、
請求項４記載の通信端末装置。
【請求項７】
前記特定のタイミングは、前記隣接セルの基地局装置向けの第１の送信データよりも良好な通信品質を要求される前記隣接セルの基地局装置向けの第２の送信データを送信するタイミングである、
請求項４記載の通信端末装置。
【請求項８】
前記選択手段は、
前記第２生成手段により生成した前記第２制御信号の最上位桁に対応するビットの値が変化した際においては、前記所定数のビットに加えて、前記全ビットのうちの前記所定数のビット以外の、少なくとも最上位桁に対応するビットを含むビットを選択し、
前記送信手段は、
前記選択手段により選択した前記所定数のビットと前記少なくとも最上位桁に対応するビットを含むビットとを前記隣接セルの基地局装置に対して送信する、
請求項１記載の通信端末装置。
【請求項９】
前記第１制御信号は、
前記通信端末装置と前記在圏セルの基地局装置との間の回線品質を示し、
前記第２制御信号は、
前記通信端末装置と前記隣接セルの基地局装置との間の回線品質を示す、
請求項１記載の通信端末装置。
【請求項１０】
自セルに隣接する隣接セルに存在する通信端末装置に対して、前記隣接セルの基地局装置と協調して通信を行う基地局装置であって、
前記通信端末装置と自局との間における通信の制御に用いる第２制御信号の全ビットのうち、下位桁から前記全ビットの桁数よりも少ない所定桁数に対応する所定数のビットを前記通信端末装置から受信する受信手段と、
前記通信端末装置と前記隣接セルの基地局装置との間における通信の制御に用いる第１制御信号の全ビットのうち、前記所定数のビット以外のビットを前記隣接セルの基地局装置から取得し、前記受信手段により受信した前記所定数のビットと取得した前記所定数のビット以外のビットとを合成して前記第２制御信号の全ビットを生成する生成手段と、
前記生成手段により生成した前記第２制御信号の全ビットに基づいて、前記通信端末装置との間の通信を制御する通信制御手段と、
を具備する基地局装置。
【請求項１１】
自セルに存在する第１通信端末装置と前記自セルに隣接する隣接セルに存在する第２通信端末装置とに対して制御信号を送信する基地局装置であって、
自局と前記第１通信端末装置との間における通信の制御に用いる第１制御信号を生成する第１生成手段と、
前記隣接セルの基地局装置と前記第２通信端末装置との間における通信の制御に用いる第２制御信号を生成する第２生成手段と、
前記第２制御信号の全ビットのうちの下位桁から前記全ビットの桁数よりも少ない所定桁数に対応する所定数のビットを選択する選択手段と、
前記第１制御信号の全ビットを前記第１通信端末装置に対して送信するとともに、前記選択手段により選択した前記所定数のビットを前記第２通信端末装置に対して送信する送信手段と、
を具備する基地局装置。
【請求項１２】
複数の基地局装置からデータを受信する通信端末装置における送信方法であって、
在圏セルの基地局装置との間における通信の制御に用いる第１制御信号を生成するステップと、
前記在圏セルに隣接する隣接セルの基地局装置との間における通信の制御に用いる第２制御信号を生成するステップと、
前記第２制御信号の全ビットのうちの下位桁から前記全ビットの桁数よりも少ない所定桁数に対応する所定数のビットを選択するステップと、
前記第１制御信号の全ビットを前記在圏セルの基地局装置に対して送信するとともに、選択した前記所定数のビットを前記隣接セルの基地局装置に対して送信するステップと、
を具備する送信方法。
【請求項１３】
自セルに存在する第１通信端末装置と前記自セルに隣接する隣接セルに存在する第２通信端末装置とに対して制御信号を送信する基地局装置における送信方法であって、
自局と前記第１通信端末装置との間における通信の制御に用いる第１制御信号を生成するステップと、
前記隣接セルの基地局装置と前記第２通信端末装置との間における通信の制御に用いる第２制御信号を生成するステップと、
前記第２制御信号の全ビットのうちの下位桁から前記全ビットの桁数よりも少ない所定桁数に対応する所定数のビットを選択するステップと、
前記第１制御信号の全ビットを前記第１通信端末装置に対して送信するとともに、選択した前記所定数のビットを前記第２通信端末装置に対して送信するステップと、
を具備する送信方法。
【発明の詳細な説明】
【技術分野】
【０００１】
本発明は、隣接セルの通信相手装置に対して制御信号を送信する通信端末装置、基地局装置及び送信方法に関する。
【背景技術】
【０００２】
現在、３ＧＰＰ（3rd Generation Partnership Project）規格において、通信装置が存在するセル（以下、「在圏セル」と記載する）の通信相手装置と、在圏セルに隣接する隣接セルの通信相手装置との両方から、通信装置がデータを受信する通信システム(例えば、Dual Cell HSPA等)が検討されている。
【０００３】
図１は、上記通信システムの一例を示す図である。図１より、通信端末装置１３は、セルＳ１のセルエッジに存在している。図１の通信システムでは、互いに隣接するセルＳ１の基地局装置１１及びセルＳ２の基地局装置１２は、セルＳ１のセルエッジに存在する通信端末装置１３に対して、協調してデータを送信する。セルエッジに存在する通信端末装置１３は、基地局装置１１及び基地局装置１２から送信されたデータを受信することにより、スループットを改善することができる。
【０００４】
上記通信システムにおいては、通信装置と各通信相手装置との間で種々の制御信号の送受信が行われる。
【０００５】
例えば、通信装置（例えば、通信端末装置）は、通信相手装置（例えば、基地局装置）に対して、伝送レートの設定を要求するための制御信号である伝送レート要求用信号（３ＧＰＰ規格では、ＣＱＩ（Channel Quality Indicator）と規定されており、以下「ＣＱＩ」と記載する）を送信するものが知られている（例えば、特許文献１）。特許文献１では、通信装置は、在圏セルの通信相手装置と隣接セルの通信相手装置との両方に対して、ＣＱＩの全ビットを送信する。各通信相手装置は、受信したＣＱＩに応じて、通信装置に割り当てる伝送レートを選択する。
【０００６】
また、通信装置（例えば、基地局装置）は、ＭＩＭＯ通信時において、ＭＩＭＯ通信に対応していない通信相手装置（例えば、通信端末装置）に対する干渉を防ぐために、Ｐ−ＣＰＩＣＨとＳ−ＣＰＩＣＨとの送信電力差を通知するための制御信号である送信電力オフセット信号を、自セルの通信相手装置と自セルに隣接する隣接セルの通信相手装置とに送信するものが知られている（例えば、非特許文献１）。非特許文献１では、通信装置は、自セルの通信相手装置と隣接セルの通信相手装置との両方に対して、同一範囲の送信電力差を示す送信電力オフセット信号を送信する。
【先行技術文献】
【特許文献】
【０００７】
【特許文献１】特表２０１１−５１５９６５号公報
【非特許文献】
【０００８】
【非特許文献１】TS25.331 V10.10.0 S10.3.6.41b
【発明の概要】
【発明が解決しようとする課題】
【０００９】
しかしながら、従来においては、送信装置が各受信装置に対して送信する制御信号は、全て同一の送信データ量を有するので、他の受信装置の干渉量が大きくなるという問題、または、通信端末装置のように電源に限りのある送信装置では、制御信号の送信に消費される電力が大きくなるという問題がある。
【００１０】
本発明の目的は、制御信号の送信データ量を少なくすることにより、送信側の消費電力または受信側の干渉量を抑制することができる通信端末装置、基地局装置及び送信方法を提供することである。
【課題を解決するための手段】
【００１１】
本発明に係る通信端末装置は、複数の基地局装置からデータを受信する通信端末装置であって、在圏セルの基地局装置との間における通信の制御に用いる第１制御信号を生成する第１生成手段と、前記在圏セルに隣接する隣接セルの基地局装置との間における通信の制御に用いる第２制御信号を生成する第２生成手段と、前記第２制御信号の全ビットのうちの下位桁から前記全ビットの桁数よりも少ない所定桁数に対応する所定数のビットを選択する選択手段と、前記第１制御信号の全ビットを前記在圏セルの基地局装置に対して送信するとともに、前記選択手段により選択した前記所定数のビットを前記隣接セルの基地局装置に対して送信する送信手段と、を具備する。
【００１２】
本発明に係る基地局装置は、自セルに隣接する隣接セルに存在する通信端末装置に対して、前記隣接セルの基地局装置と協調して通信を行う基地局装置であって、前記通信端末装置と自局との間における通信の制御に用いる第２制御信号の全ビットのうち、下位桁から前記全ビットの桁数よりも少ない所定桁数に対応する所定数のビットを前記通信端末装置から受信する受信手段と、前記通信端末装置と前記隣接セルの基地局装置との間における通信の制御に用いる第１制御信号の全ビットのうち、前記所定数のビット以外のビットを前記隣接セルの基地局装置から取得し、前記受信手段により受信した前記所定数のビットと取得した前記所定数のビット以外のビットとを合成して前記第２制御信号の全ビットを生成する生成手段と、前記生成手段により生成した前記第２制御信号の全ビットに基づいて、前記通信端末装置との間の通信を制御する通信制御手段と、を具備する。
【００１３】
また、本発明に係る基地局装置は、自セルに存在する第１通信端末装置と前記自セルに隣接する隣接セルに存在する第２通信端末装置とに対して制御信号を送信する基地局装置であって、自局と前記第１通信端末装置との間における通信の制御に用いる第１制御信号を生成する第１生成手段と、前記隣接セルの基地局装置と前記第２通信端末装置との間における通信の制御に用いる第２制御信号を生成する第２生成手段と、前記第２制御信号の全ビットのうちの下位桁から前記全ビットの桁数よりも少ない所定桁数に対応する所定数のビットを選択する選択手段と、前記第１制御信号の全ビットを前記第１通信端末装置に対して送信するとともに、前記選択手段により選択した前記所定数のビットを前記第２通信端末装置に対して送信する送信手段と、を具備する。
【００１４】
本発明に係る送信方法は、複数の基地局装置からデータを受信する通信端末装置における送信方法であって、在圏セルの基地局装置との間における通信の制御に用いる第１制御信号を生成するステップと、前記在圏セルに隣接する隣接セルの基地局装置との間における通信の制御に用いる第２制御信号を生成するステップと、前記第２制御信号の全ビットのうちの下位桁から前記全ビットの桁数よりも少ない所定桁数に対応する所定数のビットを選択するステップと、前記第１制御信号の全ビットを前記在圏セルの基地局装置に対して送信するとともに、選択した前記所定数のビットを前記隣接セルの基地局装置に対して送信するステップと、を具備する。
【００１５】
また、本発明に係る送信方法は、自セルに存在する第１通信端末装置と前記自セルに隣接する隣接セルに存在する第２通信端末装置とに対して制御信号を送信する基地局装置における送信方法であって、自局と前記第１通信端末装置との間における通信の制御に用いる第１制御信号を生成するステップと、前記隣接セルの基地局装置と前記第２通信端末装置との間における通信の制御に用いる第２制御信号を生成するステップと、前記第２制御信号の全ビットのうちの下位桁から前記全ビットの桁数よりも少ない所定桁数に対応する所定数のビットを選択するステップと、前記第１制御信号の全ビットを前記第１通信端末装置に対して送信するとともに、選択した前記所定数のビットを前記第２通信端末装置に対して送信するステップと、を具備する。
【発明の効果】
【００１６】
本発明によれば、制御信号の送信データ量を少なくすることにより、送信側の消費電力または受信側の干渉量を抑制することができる。
【図面の簡単な説明】
【００１７】
【図１】在圏セルと隣接セルとの両方から通信端末装置がデータを受信する通信システムの一例を示す図
【図２】本発明の実施の形態１に係る通信端末装置の構成を示すブロック図
【図３】本発明の実施の形態１における基地局装置の構成を示すブロック図
【図４】本発明の実施の形態１におけるＣＱＩの値を示す図
【図５】本発明の実施の形態１におけるＣＱＩの送信フォーマットを示す図
【図６】本発明の実施の形態２に係る通信端末装置の構成を示すブロック図
【図７】本発明の実施の形態２におけるＣＱＩの送信フォーマットを示す図
【図８】本発明の実施の形態３における通信システムを示す図
【図９】本発明の実施の形態３に係る通信端末装置の構成を示すブロック図
【図１０】本発明の実施の形態４に係る通信端末装置の構成を示すブロック図
【図１１】本発明の実施の形態４におけるＣＱＩの送信フォーマットを示す図
【図１２】本発明の実施の形態５に係る通信端末装置の構成を示すブロック図
【図１３】本発明の実施の形態５におけるＣＱＩの送信フォーマットを示す図
【図１４】本発明の実施の形態６に係る通信端末装置の構成を示すブロック図
【図１５】本発明の実施の形態７に係る通信端末装置の構成を示すブロック図
【図１６】本発明の実施の形態８における通信システムの構成を示す図
【図１７】本発明の実施の形態８に係る基地局装置の構成を示すブロック図
【図１８】本発明の実施の形態８におけるＰ−ＣＰＩＣＨとＳ−ＣＰＩＣＨとの送信電力差を示す図
【発明を実施するための形態】
【００１８】
以下、本発明の実施の形態について、図面を参照して詳細に説明する。
【００１９】
（実施の形態１）
＜通信端末装置の構成＞
本発明の実施の形態１に係る通信端末装置１００の構成について、図２を用いて説明する。通信端末装置１００は、制御信号の送信装置である。
【００２０】
通信端末装置１００は、アンテナ１０１と、受信部１０２と、回線品質推定部１０３と、第１の伝送レート要求用信号生成部１０４と、第２の伝送レート要求用信号生成部１０５と、選択部１０６と、符号化及び変調部１０７と、パラレル／シリアル（以下、「Ｐ／Ｓ」と記載する）変換部１０７と、送信部１０９と、アンテナ１１０とから主に構成されている。
【００２１】
受信部１０２は、アンテナ１０１を介して、図示しない在圏セルの基地局装置及び隣接セルの基地局装置から受信した信号に対して受信処理を施し、受信処理後の信号を回線品質推定部１０３に出力する。
【００２２】
回線品質推定部１０３は、受信部１０２から入力された在圏セルの基地局装置からの信号を用いて、通信端末装置１００と在圏セルの基地局装置との間の回線品質を推定し、推定結果を第１の伝送レート要求用信号生成部１０４に出力する。回線品質推定部１０３は、受信部１０２から入力された隣接セルの基地局装置からの信号を用いて、通信端末装置１００と隣接セルの基地局装置との間の回線品質を推定し、推定結果を第２の伝送レート要求用信号生成部１０５に出力する。
【００２３】
第１の伝送レート要求用信号生成部１０４は、回線品質推定部１０３から入力された在圏セルにおける回線品質の推定結果に応じて、通信端末装置１００と在圏セルの基地局装置との間における通信の制御に用いる制御信号であるＣＱＩの全ビットを生成する。第１の伝送レート要求用信号生成部１０４は、生成したＣＱＩの全ビットをＰ／Ｓ変換部１０８に出力する。ここで、第１の伝送レート要求用信号生成部１０４で生成されるＣＱＩは、通信端末装置１００と図示しない在圏セルの基地局装置との間の回線品質を示すとともに、在圏セルの基地局装置に対して伝送レートを要求するための制御信号であり、複数のビット（例えば、５ビット）で表される。
【００２４】
第２の伝送レート要求用信号生成部１０５は、回線品質推定部１０３から入力された隣接セルにおける回線品質の推定結果に応じて、通信端末装置１００と隣接セルの基地局装置との間における通信の制御に用いる制御信号であるＣＱＩの全ビットを生成する。第２の伝送レート要求用信号生成部１０５は、生成したＣＱＩの全ビットを選択部１０６に出力する。ここで、第２の伝送レート要求用信号生成部１０５で生成されるＣＱＩは、通信端末装置１００と図示しない隣接セルの基地局装置との間の回線品質を示すとともに、隣接セルの基地局装置に対して伝送レートを要求するための制御信号であり、複数のビット（例えば、５ビット）で表される。
【００２５】
選択部１０６は、第２の伝送レート要求用信号生成部１０５から入力されたＣＱＩの全ビットのうち、下位桁から全ビットの桁数よりも少ない所定桁数に対応する所定数のビット（以下、「下位ビット」と記載する）を選択し、選択した下位ビットをＰ／Ｓ変換部１０８に出力する。ここで、生成されるＣＱＩは、複数のビットで表される。
【００２６】
符号化及び変調部１０７は、入力された送信信号に対して、符号化処理及び変調処理を施す。そして、符号化及び変調部１０７は、変調後の送信信号をＰ／Ｓ変換部１０８に出力する。
【００２７】
Ｐ／Ｓ変換部１０８は、第１の伝送レート要求用信号生成部１０４及び選択部１０６から入力された直列データ形式のＣＱＩを並列データ形式のＣＱＩに変換する。Ｓ／Ｐ変換部１０７は、並列データ形式に変換したＣＱＩを送信部１０９に出力する。Ｐ／Ｓ変換部１０８は、符号化及び変調部１０７から入力された変調後の送信信号を直列データ形式から並列データ形式に変換して送信部１０９に出力する。
【００２８】
送信部１０９は、Ｓ／Ｐ変換部１０７から入力された、在圏セルのＣＱＩの全ビット、隣接セルのＣＱＩの下位ビット、及び送信信号に対して送信処理を施す。送信部１０９は、送信処理を施した在圏セルのＣＱＩの全ビット、隣接セルのＣＱＩの下位ビット、及び送信信号を、アンテナ１１０を介して送信する。
【００２９】
＜基地局装置の構成＞
本発明の実施の形態１における基地局装置２００の構成について、図３を用いて説明する。基地局装置２００は、制御信号の受信装置である。なお、基地局装置２００は、通信端末装置１００から見て隣接セルの基地局装置であるものとして説明する。
【００３０】
基地局装置２００は、アンテナ２０１と、受信部２０２と、生成部２０３と、符号化及び変調部２０４と、伝送レート割当部２０５と、送信部２０６と、アンテナ２０７とから主に構成されている。
【００３１】
受信部２０２は、通信端末装置１００からアンテナ２０１を介して受信した信号に対して受信処理を施し、受信処理後の信号を生成部２０３に出力する。
【００３２】
生成部２０３は、受信部２０２から入力された信号よりＣＱＩの下位ビットを抽出する。生成部２０３は、自局と共にDual Cell動作を行う隣接セルの他の基地局装置から取得したＣＱＩの上位ビットと、抽出したＣＱＩの下位ビットとを合成することにより、ＣＱＩの全ビットを生成する。生成部２０３は、生成したＣＱＩの全ビットを伝送レート割当部２０５に出力する。
【００３３】
符号化及び変調部２０４は、入力された送信信号に対して、符号化処理及び変調処理を施す。そして、符号化及び変調部２０４は、変調後の送信信号を伝送レート割当部２０５に出力する。
【００３４】
伝送レート割当部２０５は、生成部２０３から入力されたＣＱＩの全ビットに基づいて、基地局装置２００と通信端末装置１００との間の通信を制御する。即ち、伝送レート割当部２０５は、符号化及び変調部２０４から入力された送信信号に対して所定の伝送レートを割り当てる。伝送レート割当部２０５は、割り当てた伝送レートの送信信号を送信部２０６に出力する。
【００３５】
送信部２０６は、伝送レート割当部２０５から入力された送信信号に対して送信処理を施す。送信部２０６は、送信処理を施した送信信号を、アンテナ２０７を介して送信する。
【００３６】
＜ＣＱＩの値の変化について＞
本発明の実施の形態１におけるＣＱＩの値の変化について説明する。
【００３７】
ＣＱＩの値は回線状況に応じて変化する。また、ＣＱＩの値を表す複数ビットからなるビット列のうち、上位ビット（左側のビット）ほど大きな値を表す。つまり、ＣＱＩの値の変動量は、ＣＱＩの上位ビットが変化する方が、ＣＱＩの下位ビットが変化するよりも大きくなる。よって、一般には、ＣＱＩの値を表す複数ビットのうち、下位ビットから順に変化する可能性が高い。すなわち、ＣＱＩの値を表す複数ビットでは、下位ビット（右側のビット）ほど、回線状況の変動（回線変動）に応じて変化しやすい。つまり、ＣＱＩの上位ビットほど変化し難い。
【００３８】
＜ＣＱＩの送信方法＞
本発明の実施の形態１におけるＣＱＩの送信方法について、図４及び図５を用いて説明する。
【００３９】
通信端末装置１００は、在圏セルと隣接セルとの両方の基地局装置から送信されるデータを受信するDual Cell動作を行う。通信端末装置１００が在圏セルの基地局装置と隣接セルの基地局装置との両方から送信されるデータを受信できるのは、通信端末装置１００が在圏セルと隣接セルとの境界付近に存在する場合である。このため、一般に、通信端末装置１００は、在圏セルと隣接セルとの境界付近においてのみDual Cell動作を行う。
【００４０】
ここで、一般に、在圏セルと隣接セルとの境界付近では、在圏セルの基地局装置及び隣接セルの基地局装置からの距離は遠い。このため、在圏セルと隣接セルとの境界付近では、回線品質が悪い状態が続くため、ＣＱＩの値は回線品質が悪い値が続く。従って、隣接セルにおけるＣＱＩは、時間が経過しても下位ビットのみ変化し、上位ビットは回線品質が悪い値に固定されたまま変化しない可能性が高い。
【００４１】
つまり、通信端末装置１００は、回線品質が悪い値のまま変化しないであろうＣＱＩの上位ビットを常時送信しなくても、値が変化しやすいＣＱＩの下位ビットのみを常時送信すれば、隣接セルの基地局装置に対して正確なＣＱＩを通知することができる。換言すると、通信端末装置１００は、隣接セルの基地局装置に対して、ＣＱＩの下位ビットのみを常時送信するだけでよい。
【００４２】
以下、図４を用いて具体的に説明する。以下の説明では、在圏セルの基地局装置に対して送信するＣＱＩのビット数は、全ビットである５ビットとする。また、隣接セルの基地局装置に対して送信するＣＱＩは、下位２ビットのみとする。
【００４３】
また、ここでは、ＣＱＩ値が大きくなるほど（または、ＣＱＩ値が小さくなるほど）、要求する伝送レートの値がより大きくなるものとする。例えば、ＣＱＩ＝‘０００００’（または‘１１１１１’）が最も低い伝送レートに対応し、ＣＱＩ＝‘１１１１１’（または‘０００００’）が最も高い伝送レートに対応する。つまり、ＣＱＩ＝‘０００００’から‘１１１１１’（または、ＣＱＩ＝‘１１１１１’から‘０００００’）は、最も低い伝送レートから昇順に対応付けられている。
【００４４】
第１の伝送レート要求用信号生成部１０４は、ＣＱＩの全ビットである５ビットを、Ｓ／Ｐ変換部１０８に出力する。これに対して、選択部１０６は、第２の伝送レート要求用信号生成部１０５から入力されたＣＱＩの下位２ビットを選択し、選択した下位２ビットをＳ／Ｐ変換部１０８に出力する。
【００４５】
これにより、通信端末装置１００は、図５に示すように、在圏セルの基地局装置に対して、ＣＱＩの全ビットである５ビットを送信し、続いて、隣接セルの基地局装置に対して、ＣＱＩの下位２ビットを送信する。
【００４６】
例えば、ＣＱＩを２ｍｓｅｃに１回送信するとし、ＣＱＩを５ビットとした場合、従来のように、隣接セルに対するＣＱＩを５ビットすべて送信する場合、ＣＱＩは１ｓｅｃ当たり５０００ビット（５ビット×５００×２）必要となる。これに対して、本実施の形態では、隣接セルに対するＣＱＩを下位２ビットのみ送信する場合には、ＣＱＩは３５００ビット（５ビット×５００＋２ビット×５００）送信すればよく、ＣＱＩ送信量を１５００ビット削減することが可能となり、従来の７０％程度のＣＱＩ送信ビット数でよい。
【００４７】
因みに、ＣＱＩの送信データ量を低減させるために、在圏セルの基地局装置に対してのみＣＱＩの全ビットを送信し、隣接セルの基地局装置に対しては、ＣＱＩを送信しないシステム構成も考えられる。この場合、隣接セルの基地局装置は、基地局間のインターフェースを用いて、在圏セルの基地局装置から在圏セルのＣＱＩを取得する。これにより、通信端末装置からのＣＱＩの送信量を抑えることができる。しかしながら、この場合には、以下の問題が生じる。
【００４８】
即ち、在圏セルにおけるＣＱＩと隣接セルのおけるＣＱＩとは、当然のことであるが異なる。そのため、在圏セルの基地局装置に対してのみＣＱＩの全ビットを送信すると、本来、隣接セルの基地局装置に対して送信するはずのＣＱＩとの間に誤差が生じてしまう可能性がある。つまり、ＣＱＩの精度が悪くなってしまう。従って、隣接セルの基地局装置においては、ＣＱＩの送信データ量は低減されるものの、通信端末装置に対して適切な伝送レートを選択できず、スループットが低下してしまう可能性がある。このように、ＣＱＩの送信データ量の低減度合とスループットとの間には、トレードオフの関係がある。
【００４９】
＜実施の形態１の効果＞
本実施の形態によれば、通信端末装置は隣接セルの基地局装置に対して、制御信号であるＣＱＩの下位ビットを送信することにより、ＣＱＩの上位ビット分だけＣＱＩの送信データ量を低減でき、通信端末装置の消費電力及び他の通信端末装置に与える干渉量を抑制することができる。
【００５０】
また、本実施の形態では、通信端末装置は、隣接セルの基地局装置に対して、値の変化が激しいＣＱＩの下位ビットを送信する。これにより、隣接セルの基地局装置に対してＣＱＩを全く送信しない場合に比べて、隣接セルの基地局装置は通信端末装置に対して適切な伝送レートを設定することができ、スループットの低下を防ぐことができる。
【００５１】
また、本実施の形態によれば、隣接セルの基地局装置は、在圏セルの基地局装置よりＣＱＩの上位ビットを取得するので、ＣＱＩの送信データ量を削減したにも関わらず、通信端末装置に対して最適な伝送レートを設定することができる。
【００５２】
＜実施の形態１の変形例＞
本実施の形態において、隣接セルの基地局装置は、在圏セルの基地局装置からＣＱＩの上位ビットを取得したが、上位ビットを取得しなくてもよい。この場合、隣接セルの基地局装置は、例えば、後述する実施の形態にて示すように、所定の条件に合致した場合に所定の経路より上位ビットを取得する。
【００５３】
また、本実施の形態において、ＣＱＩの全ビットを５ビットにしたが、５ビットに限らず１０ビット等の任意のビット数にすることができる。この場合、通信端末装置は、隣接セルの基地局装置に対して、下位５ビット等の１０ビット未満の下位ビットを送信することにより、本実施の形態の効果を得ることができる。
【００５４】
また、本実施の形態において、通信端末装置は、隣接セルの基地局装置に対してＣＱＩの下位２ビットを送信したが、下位３ビットまたは下位１ビット等、任意のビット数の下位ビットを送信することができる。
【００５５】
また、本実施の形態において、隣接セルの基地局装置に対して送信するＣＱＩの下位ビットのビット数は、２ビットに固定したが、適応的に変化させてもよい。
【００５６】
また、本実施の形態において、Dual Cell動作を行う隣接セルを１つにしたが、Dual Cell動作を行う隣接セルが２つ以上存在し、２つ以上の隣接セルからのデータを受信する場合においても適用できる。Dual Cell動作を行う隣接セルが多くなるにつれて、ＣＱＩ送信ビット数の削減効果は大きくなる。例えば、ＣＱＩを２ｍｓｅｃ毎に１回送信するとし、ＣＱＩの全ビット数を５ビットとし、Dual Cell動作を行う隣接セル数を３つとした場合について述べる。従来のように、隣接セルの基地局装置に対して全ビットの５ビットのＣＱＩを送信する場合、ＣＱＩは１ｓｅｃ当たり１００００ビット(５ビット×５００×４（在圏セル１＋隣接セル３）)必要となる。これに対して、本実施の形態では、例えば隣接セルに対するＣＱＩを下記２ビットのみ送信する場合、ＣＱＩは５５００ビット(５ビット×５００＋２ビット×５００×３)送信すればよく、ＣＱＩの送信データ量を４５００ビット削減することが可能となり、送信するＣＱＩのビット数を従来の半分程度にすることができる。
【００５７】
（実施の形態２）
＜通信端末装置の構成＞
本発明の実施の形態２に係る通信端末装置５００の構成について、図６を用いて説明する。通信端末装置５００は、制御信号の送信装置である。
【００５８】
図６に示す通信端末装置５００は、図２に示す実施の形態１に係る通信端末装置１００と比較して、選択部１０６の代わりに選択部５０１を有し、Ｐ／Ｓ変換部１０８の代わりにＰ／Ｓ変換部５０２を有している。なお、図６において、図２と同一構成である部分には同一の符号を付してその説明を省略する。
【００５９】
通信端末装置５００は、アンテナ１０１と、受信部１０２と、回線品質推定部１０３と、第１の伝送レート要求用信号生成部１０４と、第２の伝送レート要求用信号生成部１０５と、符号化及び変調部１０７と、送信部１０９と、アンテナ１１０と、選択部５０１と、Ｐ／Ｓ変換部５０２とから主に構成されている。
【００６０】
符号化及び変調部１０７は、入力された送信信号に対して、符号化処理及び変調処理を施す。そして、符号化及び変調部１０７は、変調後の送信信号をＰ／Ｓ変換部５０２に出力する。
【００６１】
第１の伝送レート要求用信号生成部１０４は、生成したＣＱＩの全ビットを選択部５０１及びＰ／Ｓ変換部５０２に出力する。なお、第１の伝送レート要求用信号生成部１０４における上記以外の構成は上記実施の形態１と同一であるので、その説明を省略する。
【００６２】
第２の伝送レート要求用信号生成部１０５は、生成したＣＱＩの全ビットのうちの下位ビットのみを選択部５０１に出力する。なお、第２の伝送レート要求用信号生成部１０５における上記以外の構成は上記実施の形態１と同一であるので、その説明を省略する。
【００６３】
選択部５０１は、第１の伝送レート要求用信号生成部１０４から入力されたＣＱＩの値（在圏セルの基地局装置と通信端末装置１００との間の回線品質の推定値）と、第２の伝送レート要求用信号生成部１０５から入力されたＣＱＩの値（隣接セルの基地局装置と通信端末装置１００との間の回線品質の推定値）との差分が、所定値以上であるか否かを判定する。選択部５０１は、前記差分が所定値以上であると判定した場合には、隣接セルの基地局装置に対するＣＱＩの下位２ビットをＰ／Ｓ変換部５０２に出力する。選択部５０１は、前記差分が所定値未満であると判定した場合には、第２の伝送レート要求用信号生成部１０５から入力されたＣＱＩより選択する下位ビットを「０」とする。即ち、選択部５０１は、前記差分が所定値未満であると判定した場合には、何も選択せずかつ何も出力しない。この場合、隣接セルのＣＱＩと在圏セルのＣＱＩとはほぼ同じ値であるので、隣接セルの基地局装置は、在圏セルのＣＱＩを隣接セルのＣＱＩの代わりとして利用する。
【００６４】
選択部５０１は、隣接セルの基地局装置に対するＣＱＩの下位２ビットの出力があるか否かを示す送信有無情報をＰ／Ｓ変換部５０２に出力する。選択部５０１は、例えば、隣接セルの基地局装置に対するＣＱＩの下位２ビットの出力がある場合には送信有無情報として「１」を出力し、隣接セルの基地局装置に対するＣＱＩの下位２ビットの出力がない場合には送信有無情報として「０」を出力する。ここで、送信有無情報は、「１」または「０」の１ビットでよい。従って、送信有無情報を送信することによる送信データ量の増加分は僅かで済む。
【００６５】
Ｐ／Ｓ変換部５０２は、第１の伝送レート要求用信号生成部１０４のみから入力された直列データ形式のＣＱＩ、または第１の伝送レート要求用信号生成部１０４から入力された直列データ形式のＣＱＩ及び第２の伝送レート要求用信号生成部１０５から入力された直列データ形式の下位２ビットのＣＱＩを、並列データ形式のＣＱＩに変換する。Ｓ／Ｐ変換部５０２は、並列データ形式に変換したＣＱＩを送信部１０９に出力する。Ｐ／Ｓ変換部５０２は、符号化及び変調部１０７から入力された変調後の送信信号を直列データ形式から並列データ形式に変換して送信部１０９に出力する。Ｐ／Ｓ変換部５０２は、上記ＣＱＩの出力の合間に、選択部５０１から入力された送信有無情報を送信部１０９に出力する。
【００６６】
送信部１０９は、Ｓ／Ｐ変換部５０２から入力された、在圏セルのＣＱＩの全ビット、隣接セルのＣＱＩの下位ビット、送信信号、及び送信有無情報を、アンテナ１１０を介して送信する。
【００６７】
＜ＣＱＩ及び送信有無情報の送信方法＞
本発明の実施の形態２におけるＣＱＩ及び送信有無情報の送信方法について、図７を用いて説明する。
【００６８】
本実施の形態においては、隣接セルに対するＣＱＩの下位ビットが送信される場合と送信されない場合とが、時々刻々変化する。このため、隣接セルの基地局装置は、隣接セルに対するＣＱＩの下位ビットが送信されているか否かを検出することが必要となる。通信端末装置５００は、隣接セルの基地局装置において、隣接セルに対するＣＱＩが送信されているか否かを検出できるようにするために、送信有無情報を送信する。
【００６９】
例えば、通信端末装置５００は、図７に示すように、在圏セルに対するＣＱＩの全ビットを送信した後に、隣接セルに対するＣＱＩの下位ビットの送信が無いことを示す「０」を設定した送信有無情報を送信する。
【００７０】
＜実施の形態２の効果＞
本実施の形態では、在圏セルに対するＣＱＩと隣接セルに対するＣＱＩの差分が、所定の値より小さい場合は、在圏セルに対する伝送レート要求用信号のみを送信する。これにより、上記実施の形態１の効果に加えて、隣接セルに対するＣＱＩの送信データ量をさらに削減できるため、ＣＱＩの送信データ量を実施の形態１よりもさらに低減することができる。
【００７１】
また、本実施の形態では、隣接セルの基地局装置に対して１ビットの送信有無情報を送信するため、隣接セルの基地局装置は隣接セルのＣＱＩが送信されたか否かを確実に認識することができる。これにより、送信データ量の増加を抑制しつつ、隣接セルの基地局装置において適切なタイミングで伝送レートを設定することができる。
【００７２】
また、本実施の形態によれば、在圏セルに対するＣＱＩと隣接セルに対するＣＱＩの差分と比較する所定値を、適切に設定することにより、送信有無情報の送信データ量の増加よりも、ＣＱＩの送信データ量の低減効果を大きくすることができる。
【００７３】
＜実施の形態２の変形例＞
本実施の形態において、隣接セルに対するＣＱＩが送信されない場合、隣接セルの基地局装置は何らかの手段で在圏セルのＣＱＩを取得する必要がある。隣接セルの基地局装置が在圏セルのＣＱＩを取得する手順としては様々なものが考えられる。例えば、在圏セルの基地局装置が在圏セルのＣＱＩを定期的に隣接セルの基地局装置に通知しても良いし、在圏セルの基地局装置が送信有無情報の値を監視し、その値が「０」であった場合に在圏セルのＣＱＩを隣接セルの基地局装置に通知してもよい。また、隣接セルの基地局装置が送信有無情報の値が「０」であることを認識し次第、在圏セルの基地局装置に対して在圏セルのＣＱＩの通知を要求してもよい。なお、基地局装置間の通信は一般的には非常に高速な有線回線を用いて行われるため、このような基地局装置間のやり取りが各セル内の無線通信装置に干渉する可能性は極めて低い。
【００７４】
また、本実施の形態において、送信有無情報を送信したが、送信有無情報を送信しなくてもよい。この場合、隣接セルの基地局装置は、ＣＱＩが受信されるべきタイミングにおいてＣＱＩが得られなかった場合には、隣接セルに対するＣＱＩが送信されなかったものと判断する。
【００７５】
（実施の形態３）
＜通信端末装置が使用する通信システムの構成＞
本発明の実施の形態３における通信システムの構成について、図８を用いて説明する。
【００７６】
図８に示す通信システムでは、在圏セルと隣接セルとがオーバーラップしている。在圏セルと隣接セルとがオーバーラップしている場合においては、在圏セルと隣接セルの境界付近ではない領域において、Dual Cell動作を行わない場合も考えられる。このような場合、通信端末装置７００は、隣接セルの基地局装置７６０に比較的近い領域において、隣接セルの基地局装置７６０と通信を行う場合も考えられる。この場合、隣接セルに対するＣＱＩは、悪い値が連続するとは限らない。したがって、この場合には、隣接セルに対するＣＱＩの値が大きく変動する可能性があり、隣接セルに対する下位ビットのみの通知では精度が不十分となるおそれがある。そこで、本実施の形態では、在圏セルと隣接セルとがオーバーラップしているか否かに応じて、隣接セルに通知するＣＱＩのビット数を変更する。
【００７７】
通信端末装置７００は、図８に示す通信システムと、例えば図１に示すような在圏セルと隣接セルとがオーバーラップしない通信システムとの両方において通信することができる。
【００７８】
＜通信端末装置の構成＞
本発明の実施の形態３に係る通信端末装置７００の構成について、図９を用いて説明する。通信端末装置７００は、制御信号の送信装置である。
【００７９】
図９に示す通信端末装置７００は、図２に示す実施の形態１に係る通信端末装置１００と比較して、システム制御部７０１を追加し、選択部１０６の代わりに選択部７０２を有し、Ｐ／Ｓ変換部１０８の代わりにＰ／Ｓ変換部７０３を有する。なお、図９において、図２と同一構成である部分には同一の符号を付してその説明を省略する。
【００８０】
通信端末装置７００は、アンテナ１０１と、受信部１０２と、回線品質推定部１０３と、第１の伝送レート要求用信号生成部１０４と、第２の伝送レート要求用信号生成部１０５と、符号化及び変調部１０７と、送信部１０９と、アンテナ１１０と、システム制御部７０１と、選択部７０２と、Ｐ／Ｓ変換部７０３とから主に構成されている。
【００８１】
符号化及び変調部１０７は、入力された送信信号に対して、符号化処理及び変調処理を施す。そして、符号化及び変調部１０７は、変調後の送信信号をＰ／Ｓ変換部７０３に出力する。
【００８２】
システム制御部７０１は、在圏セルと隣接セルとがオーバーラップしている通信システムであるか否かを示すシステム情報を生成する。システム制御部７０１は、生成したシステム情報を選択部７０２に出力する。
【００８３】
第１の伝送レート要求用信号生成部１０４は、生成したＣＱＩの全ビットをＰ／Ｓ変換部７０３に出力する。なお、第１の伝送レート要求用信号生成部１０４における上記以外の構成は上記実施の形態１と同一であるので、その説明を省略する。
【００８４】
第２の伝送レート要求用信号生成部１０５は、生成したＣＱＩの全ビットを選択部７０２に出力する。なお、第２の伝送レート要求用信号生成部１０５における上記以外の構成は上記実施の形態１と同一であるので、その説明を省略する。
【００８５】
選択部７０２は、システム制御部７０１から入力されたシステム情報に基づいて、第２の伝送レート要求用信号生成部１０５から入力されたＣＱＩの下位ビットまたは全ビットを選択する。
【００８６】
具体的には、選択部７０２は、在圏セルと隣接セルとがオーバーラップしている通信システムを示すシステム情報がシステム制御部７０１から入力された場合には、ＣＱＩの全ビットを選択してＰ／Ｓ変換部７０３に出力する。選択部７０２は、在圏セルと隣接セルとがオーバーラップしていない通信システムを示すシステム情報がシステム制御部７０１から入力された場合には、ＣＱＩの下位ビットを選択してＰ／Ｓ変換部７０３に出力する。
【００８７】
Ｐ／Ｓ変換部７０３は、第１の伝送レート要求用信号生成部１０４及び選択部７０２から入力された直列データ形式のＣＱＩを並列データ形式のＣＱＩに変換する。Ｐ／Ｓ変換部７０３は、並列データ形式に変換したＣＱＩを送信部１０９に出力する。Ｐ／Ｓ変換部７０３は、符号化及び変調部１０７から入力された変調後の送信信号を直列データ形式から並列データ形式に変換して送信部１０９に出力する。
【００８８】
送信部１０９は、Ｐ／Ｓ変換部７０３から入力された、在圏セルのＣＱＩの全ビット、隣接セルのＣＱＩの下位ビット若しくは全ビット、及び送信信号を、アンテナ１１０を介して送信する。
【００８９】
＜実施の形態３の効果＞
本実施の形態によれば、上記実施の形態１の効果に加えて、在圏セルと隣接セルとがオーバーラップしている通信システムを使用する場合には、隣接セルの基地局装置に対してＣＱＩの全ビットを送信するので、使用する通信システムに関わらず、最適な伝送レートを設定することができる。
【００９０】
また、本実施の形態によれば、通信端末装置は、セル間を移動する毎に１回のみシステム情報を送信すればよいため、システム情報を送信することによる制御信号の送信データ量の増加分をほとんど無視することができる。
【００９１】
＜実施の形態３の変形例＞
本実施の形態において、在圏セルと隣接セルとがオーバーラップしている場合に、隣接セルの基地局装置に対してＣＱＩの全ビットを送信したが、在圏セルと隣接セルとのオーバーラップの度合いに応じて、隣接セルの基地局装置に対するＣＱＩの送信データ量を可変にすることができる。例えば、通信端末装置７００は、以下の動作も可能である。
【００９２】
通信端末装置７００は、在圏セルと隣接セルとがオーバーラップしてない通信システムを使用する場合には、隣接セルの基地局装置に対してＣＱＩの下位２ビットのみを送信する。通信端末装置７００は、在圏セルと隣接セルとがオーバーラップしているが、オーバーラップの度合いが小さい（例えば、オーバーラップしている面積Ｑ１が閾値ｒ１未満（Ｑ１＜ｒ１）である）通信システムを使用する場合には、隣接セルの基地局装置に対してＣＱＩの下位３ビットのみを送信する。通信端末装置７００は、在圏セルと隣接セルとがオーバーラップしており、かつオーバーラップの度合いが大きい（例えば、オーバーラップしている面積Ｑ２が閾値ｒ１以上（Ｑ２＞ｒ１）である）通信システムを使用する場合には、隣接セルの基地局装置に対してＣＱＩの全ビット（５ビット）を送信する。
【００９３】
また、本実施の形態において、システム情報を通信端末装置７００が生成したが、通信端末装置７００がセル間を移動する際に、在圏セルと隣接セルとがオーバーラップしているか否かを示す情報を基地局装置から通信端末装置７００に対して送信してもよい。この場合には、通信端末装置７００におけるシステム情報の生成を不要にすることができる。
【００９４】
（実施の形態４）
＜通信端末装置の構成＞
本発明の実施の形態４に係る通信端末装置１０００の構成について、図１０を用いて説明する。通信端末装置１０００は、制御信号の送信装置である。
【００９５】
図１０に示す通信端末装置１０００は、図２に示す実施の形態１に係る通信端末装置１００と比較して、タイミング制御部１００１を追加し、選択部１０６の代わりに選択部１００２を有し、Ｐ／Ｓ変換部１０８の代わりにＰ／Ｓ変換部１００３を有する。なお、図１０において、図２と同一構成である部分には同一の符号を付してその説明を省略する。
【００９６】
通信端末装置１０００は、アンテナ１０１と、受信部１０２と、回線品質推定部１０３と、第１の伝送レート要求用信号生成部１０４と、第２の伝送レート要求用信号生成部１０５と、符号化及び変調部１０７と、送信部１０９と、アンテナ１１０と、タイミング制御部１００１と、選択部１００２と、Ｐ／Ｓ変換部１００３とから主に構成されている。
【００９７】
符号化及び変調部１０７は、入力された送信信号に対して、符号化処理及び変調処理を施す。そして、符号化及び変調部１０７は、変調後の送信信号をＰ／Ｓ変換部１００３に出力する。
【００９８】
タイミング制御部１００１は、通信開始のタイミング（通信開始時刻）を示すタイミング情報を生成する。そして、タイミング制御部１００１は、生成したタイミング情報を選択部１００２に出力する。
【００９９】
第１の伝送レート要求用信号生成部１０４は、生成したＣＱＩの全ビットをＰ／Ｓ変換部１００３に出力する。なお、第１の伝送レート要求用信号生成部１０４における上記以外の構成は上記実施の形態１と同一であるので、その説明を省略する。
【０１００】
第２の伝送レート要求用信号生成部１０５は、生成したＣＱＩの全ビットを選択部１００２に出力する。なお、第２の伝送レート要求用信号生成部１０５における上記以外の構成は上記実施の形態１と同一であるので、その説明を省略する。
【０１０１】
選択部１００２は、タイミング制御部１００１から入力されたタイミング情報に示される通信開始時刻に基づいて、第２の伝送レート要求用信号生成部１０５から入力されたＣＱＩの全ビットまたは下位ビットを選択する。
【０１０２】
具体的には、選択部１００２は、特定のタイミングである、通信開始時刻後において隣接セルの基地局装置に対して最初にＣＱＩを送信するタイミングには、第２の伝送レート要求用信号生成部１０５から入力されたＣＱＩの全ビットを選択してＰ／Ｓ変換部１００３に出力する。選択部１００２は、上記以外のタイミングには、第２の伝送レート要求用信号生成部１０５から入力されたＣＱＩの下位ビットを選択してＰ／Ｓ変換部１００３に出力する。
【０１０３】
Ｐ／Ｓ変換部１００３は、第１の伝送レート要求用信号生成部１０４及び選択部１００２から入力された直列データ形式のＣＱＩを並列データ形式のＣＱＩに変換する。Ｐ／Ｓ変換部１００３は、並列データ形式に変換したＣＱＩを送信部１０９に出力する。Ｐ／Ｓ変換部１００３は、符号化及び変調部１０７から入力された変調後の送信信号を直列データ形式から並列データ形式に変換して送信部１０９に出力する。
【０１０４】
送信部１０９は、Ｐ／Ｓ変換部１００３から入力された、在圏セルのＣＱＩの全ビット、隣接セルのＣＱＩの下位ビット若しくは全ビット、及び送信信号を、アンテナ１１０を介して送信する。
【０１０５】
＜ＣＱＩの送信方法＞
本発明の実施の形態４におけるＣＱＩの送信方法について、図１１を用いて説明する。
【０１０６】
通信端末装置１０００は、通信開始時刻ｔ０後において、隣接セルの基地局装置に対して最初にＣＱＩを送信する場合には、ＣＱＩの全ビット（例えば、５ビット）を送信する。通信端末装置１０００は、隣接セルの基地局装置に対して最初にＣＱＩを送信する場合以外の場合には、隣接セルの基地局装置に対してＣＱＩの下位ビット（例えば、下位２ビット）のみを送信する。
【０１０７】
ここで、隣接セルの基地局装置では、実際の回線には回線誤りが存在するため、通信端末装置１０００から送信されたＣＱＩに回線誤りが発生した場合、通信端末装置１０００が要求する伝送レートとは異なる伝送レートを選択してしまう可能性がある。そこで、隣接セルの基地局装置では、ＣＱＩの回線誤りによる伝送レートの選択誤りを回避するために、ＣＱＩを複数回平均する処理を行うことが考えられる。しかし、この場合、隣接セルの基地局装置では、通信開始時にはＣＱＩの受信サンプル数が少ないため、ＣＱＩの平均化効果が得られず、伝送レートの選択を誤る確率が高くなるという課題がある。本実施の形態では、上記課題を解決することができる。
【０１０８】
＜実施の形態４の効果＞
本実施の形態では、通信開始時刻後において、隣接セルの基地局装置に対して、最初にＣＱＩを送信する場合には、ＣＱＩの全ビットを送信することにより、隣接セルの基地局装置ではＣＱＩの全ビットを用いて伝送レートを選択することができる。これにより、本実施の形態によれば、上記実施の形態１の効果に加えて、伝送レートの選択を誤る確率を低減することができる。
【０１０９】
＜実施の形態４の変形例＞
なお、本実施の形態において、隣接セルの基地局装置に対して、通信開始時刻後の最初にＣＱＩを送信する際に、ＣＱＩの全ビットを送信したが、例えば、特定のタイミングとして、回線変動速度が速い時刻、つまり、ＣＱＩの値の変化が激しくなる時刻に、ＣＱＩの全ビットを送信してもよい。
【０１１０】
また、本実施の形態において、通信開始時刻ではＣＱＩの全ビットを送信したが、通信開始時刻において、ＣＱＩの下位ビットに加えて、ＣＱＩの全ビットのうちの下位ビット以外のビットの一部を選択して、下位ビットよりも多いビット数かつ全ビットよりも少ないビット数のＣＱＩを送信してもよい。
【０１１１】
（実施の形態５）
＜通信端末装置の構成＞
本発明の実施の形態５に係る通信端末装置１２００の構成について、図１２を用いて説明する。通信端末装置１２００は、制御信号の送信装置である。
【０１１２】
図１２に示す通信端末装置１２００は、図２に示す実施の形態１に係る通信端末装置１００と比較して、システム制御部１２０２及びセル移動制御部１２０３を追加し、選択部１０６の代わりに選択部１２０４を有し、受信部１０２の代わりに受信部１２０１を有し、Ｐ／Ｓ変換部１０８の代わりにＰ／Ｓ変換部１２０５を有している。なお、図１２において、図２と同一構成である部分には同一の符号を付してその説明を省略する。
【０１１３】
通信端末装置１２００は、アンテナ１０１と、回線品質推定部１０３と、第１の伝送レート要求用信号生成部１０４と、第２の伝送レート要求用信号生成部１０５と、符号化及び変調部１０７と、送信部１０９と、アンテナ１１０と、受信部１２０１と、システム制御部１２０２と、セル移動制御部１２０３と、選択部１２０４と、Ｐ／Ｓ変換部１２０５とから主に構成されている。
【０１１４】
符号化及び変調部１０７は、入力された送信信号に対して、符号化処理及び変調処理を施す。そして、符号化及び変調部１０７は、変調後の送信信号をＰ／Ｓ変換部１２０５に出力する。
【０１１５】
受信部１２０１は、アンテナ１０１を介して、図示しない在圏セルの基地局装置及び隣接セルの基地局装置から受信した信号に対して受信処理を施し、受信処理後の信号を回線品質推定部１０３及びシステム制御部１２０２に出力する。
【０１１６】
システム制御部１２０２は、受信部１２０１から入力された信号に、通信端末装置１２００がセル間の移動を完了したメッセージが含まれている場合に、制御信号を生成してセル移動制御部１２０３に出力する。
【０１１７】
セル移動制御部１２０３は、システム制御部１２０２から制御信号が入力された際に、セル移動を行ったことを示すセル移動情報を選択部１２０４に出力する。即ち、セル移動情報は、在圏セルが変更されたことを示す情報である。
【０１１８】
回線品質推定部１０３は、受信部１２０１から入力された在圏セルの基地局装置からの信号を用いて、通信端末装置１２００と在圏セルの基地局装置との間の回線品質を推定し、推定結果を第１の伝送レート要求用信号生成部１０４に出力する。回線品質推定部１０３は、受信部１２０１から入力された隣接セルの基地局装置からの信号を用いて、通信端末装置１２００と隣接セルの基地局装置との間の回線品質を推定し、推定結果を第２の伝送レート要求用信号生成部１０５に出力する。
【０１１９】
第１の伝送レート要求用信号生成部１０４は、生成したＣＱＩの全ビットをＰ／Ｓ変換部１２０５に出力する。なお、第１の伝送レート要求用信号生成部１０４における上記以外の構成は上記実施の形態１と同一であるので、その説明を省略する。
【０１２０】
第２の伝送レート要求用信号生成部１０５は、生成したＣＱＩの全ビットのうちの下位ビットのみを選択部１２０４に出力する。なお、第２の伝送レート要求用信号生成部１０５における上記以外の構成は上記実施の形態１と同一であるので、その説明を省略する。
【０１２１】
選択部１２０４は、セル移動制御部１２０３から入力されるセル移動情報に基づいて、第２の伝送レート要求用信号生成部１０５から入力されたＣＱＩの全ビットまたは下位ビットを選択する。
【０１２２】
具体的には、選択部１２０４は、隣接セルの基地局装置に対して、セル移動後において、最初に隣接セルの基地局装置に対してＣＱＩを送信する場合には、ＣＱＩの全ビットを選択してＰ／Ｓ変換部１２０５に出力する。選択部１２０４は、セル移動後において、最初に隣接セルの基地局装置に対してＣＱＩを送信する場合以外の場合には、ＣＱＩの下位ビットを選択してＰ／Ｓ変換部１２０５に出力する。
【０１２３】
Ｐ／Ｓ変換部１２０５は、第１の伝送レート要求用信号生成部１０４及び選択部１２０４から入力された直列データ形式のＣＱＩを並列データ形式のＣＱＩに変換する。Ｓ／Ｐ変換部１２０６は、並列データ形式に変換したＣＱＩを送信部１０９に出力する。Ｐ／Ｓ変換部１２０５は、符号化及び変調部１０７から入力された変調後の送信信号を直列データ形式から並列データ形式に変換して送信部１０９に出力する。
【０１２４】
送信部１０９は、Ｐ／Ｓ変換部１２０５から入力された、在圏セルのＣＱＩの全ビット、隣接セルのＣＱＩの下位ビット若しくは全ビット、及び送信信号を、アンテナ１１０を介して送信する。
【０１２５】
＜ＣＱＩの送信方法＞
本発明の実施の形態５におけるＣＱＩの送信方法について、図１３を用いて説明する。
【０１２６】
本実施の形態では、通信端末装置は、セル移動を行った場合には、ＣＱＩの全ビットを送信する。
【０１２７】
具体的には、通信端末装置１２００は、図１３に示すように、セル移動を行った後において最初に隣接セルの基地局装置に対してＣＱＩを送信する場合（時刻ｔ１においてＣＱＩを送信する場合）には、ＣＱＩの全ビット（５ビット）を送信する。通信端末装置１２００は、時刻ｔ１以外の時刻において隣接セルの基地局装置に対してＣＱＩを送信する場合には、ＣＱＩの下位ビット（下位２ビット）のみを送信する。
【０１２８】
ここで、上記実施の形態４と同様に、ＣＱＩを複数回平均する処理を行う場合、隣接セルの基地局装置では、セル移動直後にはＣＱＩの受信サンプル数が少ないため、ＣＱＩの平均化効果が得られず、伝送レートの選択を誤る確率が高くなるという課題がある。本実施の形態では、上記課題を解決することができる。
【０１２９】
＜実施の形態５の効果＞
本実施の形態では、セル移動後において、隣接セルの基地局装置に対して、最初にＣＱＩを送信する場合には、ＣＱＩの全ビットを送信することにより、隣接セルの基地局装置ではＣＱＩの全ビットを用いて伝送レートを選択することができる。これにより、本実施の形態によれば、上記実施の形態１の効果に加えて、伝送レートの選択を誤る確率を低減することができる。
【０１３０】
＜実施の形態５の変形例＞
なお、本実施の形態において、隣接セルの基地局装置に対して、セル移動後において最初にＣＱＩを送信する際に、ＣＱＩの全ビットを送信したが、例えば、セル移動後において回線変動速度が速い時刻、つまり、ＣＱＩの値の変化が激しくなる時刻に、ＣＱＩの全ビットを送信してもよい。
【０１３１】
また、本実施の形態において、セル移動後の最初にＣＱＩを送信する場合にはＣＱＩの全ビットを送信したが、セル移動後の最初にＣＱＩを送信する場合において、ＣＱＩの下位ビットに加えて、ＣＱＩの全ビットのうちの下位ビット以外のビットの一部を選択して、下位ビットよりも多いビット数かつ全ビットよりも少ないビット数のＣＱＩを送信してもよい。
【０１３２】
（実施の形態６）
＜通信端末装置の構成＞
本発明の実施の形態６に係る通信端末装置１４００の構成について、図１４を用いて説明する。通信端末装置１４００は、制御信号の送信装置である。
【０１３３】
図１４に示す通信端末装置１４００は、図２に示す実施の形態１に係る通信端末装置１００と比較して、データ制御部１４０１を追加し、選択部１０６の代わりに選択部１４０２を有し、Ｐ／Ｓ変換部１０８の代わりにＰ／Ｓ変換部１４０３を有している。なお、図１４において、図２と同一構成である部分には同一の符号を付してその説明を省略する。
【０１３４】
通信端末装置１４００は、アンテナ１０１と、受信部１０２と、回線品質推定部１０３と、第１の伝送レート要求用信号生成部１０４と、第２の伝送レート要求用信号生成部１０５と、符号化及び変調部１０７と、送信部１０９と、アンテナ１１０と、データ制御部１４０１と、選択部１４０２と、Ｐ／Ｓ変換部１４０３とから主に構成されている。
【０１３５】
符号化及び変調部１０７は、入力された送信信号に対して、符号化処理及び変調処理を施す。そして、符号化及び変調部１０７は、変調後の送信信号をＰ／Ｓ変換部１４０３に出力する。
【０１３６】
データ制御部１４０１は、これから送信しようとする送信データ（第２の送信データ）が他の送信データ（第１の送信データ）より良好な通信品質を要求されるデータであるか否かを示すデータ種別情報を選択部１４０２に出力する。
【０１３７】
ここで、良好な通信品質を要求されるデータは、例えば、制御情報、再送情報、再送に使用されるＡｃｋ若しくはＮａｃｋ情報、ＭＢＭＳ情報(マルチキャスト情報またはブロードキャスト情報)、または、誤り訂正としてターボ符号を用いた場合におけるシステマティックビット等がある。
【０１３８】
良好な通信品質を要求されるデータについては、他のデータより高精度なＣＱＩが要求されるため、隣接セルに対するＣＱＩの全ビットを送信することが望ましい。そのため、良好な通信品質を要求されるデータが送信される場合には、ＣＱＩの送信データ量が増加する。しかしながら、良好な通信品質が要求されるデータは、他のデータに比べて送信データ量が非常に少ない。従って、良好な通信品質が要求されるデータの送信が完了した際にＣＱＩの下位ビットのみを送信するように制御することで、ＣＱＩの送信データ量の増加は少なくてすむ。
【０１３９】
第１の伝送レート要求用信号生成部１０４は、生成したＣＱＩの全ビットをＰ／Ｓ変換部１４０３に出力する。なお、第１の伝送レート要求用信号生成部１０４における上記以外の構成は上記実施の形態１と同一であるので、その説明を省略する。
【０１４０】
第２の伝送レート要求用信号生成部１０５は、生成したＣＱＩの全ビットを選択部１４０２に出力する。なお、第２の伝送レート要求用信号生成部１０５における上記以外の構成は上記実施の形態１と同一であるので、その説明を省略する。
【０１４１】
選択部１４０２は、データ制御部１４０１から入力されるデータ種別情報に基づいて、第２の伝送レート要求用信号生成部１０５から入力されたＣＱＩの全ビットまたは下位ビットを選択する。
【０１４２】
具体的には、選択部１４０２は、これから送信しようとする送信データが他の送信データよりも良好な通信品質が要求される場合には、隣接セルの基地局装置に対してＣＱＩの全ビットを選択してＰ／Ｓ変換部１４０３に出力する。選択部１４０２は、これから送信しようとする送信データが他の送信データよりも良好な通信品質が要求されない場合には、ＣＱＩの下位ビットを選択してＰ／Ｓ変換部１４０３に出力する。
【０１４３】
Ｐ／Ｓ変換部１４０３は、第１の伝送レート要求用信号生成部１０４及び選択部１４０２から入力された直列データ形式のＣＱＩを並列データ形式のＣＱＩに変換する。Ｐ／Ｓ変換部１４０３は、並列データ形式に変換したＣＱＩを送信部１０９に出力する。Ｐ／Ｓ変換部１４０３は、符号化及び変調部１０７から入力された変調後の送信信号を直列データ形式から並列データ形式に変換して送信部１０９に出力する。
【０１４４】
送信部１０９は、Ｐ／Ｓ変換部１４０３から入力された、在圏セルのＣＱＩの全ビット、隣接セルのＣＱＩの下位ビット若しくは全ビット、及び送信信号を、アンテナ１１０を介して送信する。
【０１４５】
＜実施の形態６の効果＞
本実施の形態によれば、良好な通信品質を要求されるデータを送信する際に、隣接セルの基地局装置に対してＣＱＩの全ビットを送信することにより、ＣＱＩの送信データ量をほとんど増加することなく、良好な通信品質を要求されるデータの通信品質を改善することができる。
【０１４６】
＜実施の形態６の変形例＞
本実施の形態において、良好な通信品質が要求されるデータを送信する際に、隣接セルの基地局装置に対してＣＱＩの全ビットを送信したが、隣接セルの基地局装置から良好な通信品質を要求される情報を受信する際においても、隣接セルの基地局装置に対してＣＱＩの全ビットを送信してもよい。
【０１４７】
また、本実施の形態において、通信方式としてＯＦＤＭ等のマルチキャリア通信方式を用いた場合、隣接セルにおける特定のサブキャリアあるいは特定のサブキャリアグループにおいては、ＣＱＩの全ビットを送信することも可能である。例えば、通信端末装置は、特定のサブキャリアあるいは特定のサブキャリアグループにおいて、良好な通信品質を要求されるデータを送信している場合には、隣接セルの基地局装置に対して前記特定のサブキャリア若しくは前記特定のサブキャリアグループについてＣＱＩの全ビットを送信することも可能である。
【０１４８】
また、本実施の形態において、良好な通信品質を要求されるデータを送信する際にＣＱＩの全ビットを選択したが、良好な通信品質を要求されるデータを送信する際において、ＣＱＩの下位ビットに加えて、ＣＱＩの全ビットのうちの下位ビット以外のビットの一部を選択して、下位ビットよりも多いビット数かつ全ビットよりも少ないビット数のＣＱＩを送信してもよい。
【０１４９】
（実施の形態７）
＜通信端末装置の構成＞
本発明の実施の形態７に係る通信端末装置１５００の構成について、図１５を用いて説明する。通信端末装置１５００は、制御信号の送信装置である。
【０１５０】
図１５に示す通信端末装置１５００は、図２に示す実施の形態１に係る通信端末装置１００と比較して、伝送レート要求用信号判定部１５０１を追加し、選択部１０６の代わりに選択部１５０２を有し、Ｐ／Ｓ変換部１０８の代わりにＰ／Ｓ変換部１５０３を有している。なお、図１５において、図２と同一構成である部分には同一の符号を付してその説明を省略する。
【０１５１】
通信端末装置１５００は、アンテナ１０１と、受信部１０２と、回線品質推定部１０３と、第１の伝送レート要求用信号生成部１０４と、第２の伝送レート要求用信号生成部１０５と、符号化及び変調部１０７と、送信部１０９と、アンテナ１１０と、伝送レート要求用信号判定部１５０１と、選択部１５０２と、Ｐ／Ｓ変換部１５０３とから主に構成されている。
【０１５２】
符号化及び変調部１０７は、入力された送信信号に対して、符号化処理及び変調処理を施す。そして、符号化及び変調部１０７は、変調後の送信信号をＰ／Ｓ変換部１５０３に出力する。
【０１５３】
第１の伝送レート要求用信号生成部１０４は、生成したＣＱＩの全ビットをＰ／Ｓ変換部１５０３に出力する。なお、第１の伝送レート要求用信号生成部１０４における上記以外の構成は上記実施の形態１と同一であるので、その説明を省略する。
【０１５４】
第２の伝送レート要求用信号生成部１０５は、生成したＣＱＩの全ビットを伝送レート要求用信号判定部１５０１及び選択部１５０２に出力する。なお、第２の伝送レート要求用信号生成部１０５における上記以外の構成は上記実施の形態１と同一であるので、その説明を省略する。
【０１５５】
伝送レート要求用信号判定部１５０１は、第２の伝送レート要求用信号生成部１０５から入力された、前回のＣＱＩの全ビットと今回のＣＱＩの全ビットとを比較する。伝送レート要求用信号判定部１５０１は、比較の結果、前回のＣＱＩの最上位桁に対応するビット（以下、「最上位ビット」と記載する）の値に対して今回のＣＱＩの最上位ビットの値が変化したか否かを判定する。伝送レート要求用信号判定部１５０１は、ＣＱＩの最上位ビットの値が変化したと判定した場合には、ＣＱＩの全ビットを送信するように選択部１５０２に指示する。伝送レート要求用信号判定部１５０１は、ＣＱＩの最上位ビットの値が変化していないと判定した場合には、ＣＱＩの下位ビットのみを送信するように選択部１５０２に指示する。
【０１５６】
選択部１５０２は、伝送レート要求用信号判定部１５０１からの指示に基づいて、第２の伝送レート要求用信号生成部１０５から入力されたＣＱＩの全ビットまたは下位ビットを選択する。
【０１５７】
具体的には、選択部１５０２は、ＣＱＩの全ビットを送信するように伝送レート要求用信号判定部１５０１から指示された場合には、第２の伝送レート要求用信号生成部１０５から入力されたＣＱＩの全ビットを選択してＰ／Ｓ変換部１５０３に出力する。選択部１５０２は、ＣＱＩの下位ビットのみを送信するように伝送レート要求用信号判定部１５０１から指示された場合には、第２の伝送レート要求用信号生成部１０５から入力されたＣＱＩの下位ビットを選択してＰ／Ｓ変換部１５０３に出力する。
【０１５８】
通信端末装置１５００は、ＣＱＩの全ビットが送信されることを隣接セルの基地局装置に対して通知する必要がある。従って、選択部１５０２は、ＣＱＩの最上位ビットが変化したか否かを示す制御情報を付加したＣＱＩをＰ／Ｓ変換部１５０３に出力する。ここで、上記制御情報は、ＣＱＩの最上位ビットの変化の有無を示す１ビット（「０」または「１」）でよいので、送信データ量の増加を最小限に抑えることができる。
【０１５９】
Ｐ／Ｓ変換部１５０３は、第１の伝送レート要求用信号生成部１０４及び選択部１５０２から入力された直列データ形式のＣＱＩを並列データ形式のＣＱＩに変換する。Ｓ／Ｐ変換部１５０４は、並列データ形式に変換したＣＱＩを送信部１０９に出力する。Ｐ／Ｓ変換部１５０３は、符号化及び変調部１０７から入力された変調後の送信信号を直列データ形式から並列データ形式に変換して送信部１０９に出力する。
【０１６０】
送信部１０９は、Ｐ／Ｓ変換部１５０３から入力された、在圏セルのＣＱＩの全ビット、隣接セルのＣＱＩの下位ビット若しくは全ビット、及び送信信号を、アンテナ１１０を介して送信する。
【０１６１】
＜ＣＱＩの値の変化について＞
本発明の実施の形態７におけるＣＱＩの値の変化について説明する。
【０１６２】
ＣＱＩの値を表す複数のビットのうちの最上位ビットは、最も大きい値を表す。また、ＣＱＩの最上位ビットが変化する時刻では、ＣＱＩの最上位ビット以外の全てのビットが変化する可能性が高い。例えば、５ビットのＣＱＩにおいて、「０１１１１」から１つ値が上がると「１００００」となり、ＣＱＩの最上位ビットが「０」から「１」に変化するとともに、ＣＱＩの最上位ビット以外のすべてのビットが「１１１１」から「００００」に変化する。ＣＱＩが「１００００」から「０１１１１」に変化する場合も同様である。
【０１６３】
ここで、通信端末装置１５００が隣接セルの基地局装置に対してＣＱＩの下位ビットのみを送信した際に、ＣＱＩの上位ビットを送信しない時刻に生成されるＣＱＩの最上位ビットが、前回生成されたＣＱＩの最上位ビットから変化してしまうことがあり得る。この場合、隣接セルの基地局装置は、受信したＣＱＩを、実際のＣＱＩと全く異なる値として特定してしまい、実際に通信端末装置１５００が要求する伝送レートと異なる伝送レートを選択してしまうという課題がある。本実施の形態では、ＣＱＩの最上位ビットが変化する時刻では、ＣＱＩの全ビットを送信することにより、上記課題を解決することができる。
【０１６４】
＜実施の形態７の効果＞
本実施の形態では、ＣＱＩの最上位ビットの値が変化する場合において、通信端末装置はＣＱＩの全ビットを送信し、隣接セルの基地局装置はＣＱＩの全ビットを受信する。これにより、本実施の形態によれば、上記実施の形態１の効果に加えて、実際に通信端末装置が要求する伝送レートと異なる伝送レートを誤って選択してしまうことを防ぐことができ、適切な伝送レートを確実に選択することができる。
【０１６５】
＜実施の形態７の変形例＞
本実施の形態において、ＣＱＩの最上位ビットの値が変化した際にＣＱＩの全ビットを送信したが、ＣＱＩの最上位ビットの値が変化した際において、ＣＱＩの下位ビットに加えて、ＣＱＩの全ビットのうちの下位ビット以外のビットのうち、少なくとも最上位ビットを含む一部のビットを選択して、下位ビットよりも多いビット数かつ全ビットよりも少ないビット数のＣＱＩを送信してもよい。
【０１６６】
＜実施の形態１〜実施の形態７に共通の変形例＞
上記実施の形態１〜実施の形態７において、ＣＱＩの送信データ量を削減したが、ＣＱＩ以外の他の制御信号の送信データ量を削減してもよい。例えば、３ＧＰＰ規格(ＴＳ３６．２１３  ７．２参照)の通信システムでは、ＣＱＩに付随して、precoding matrix indicatorまたはrank indicationのような制御信号も通信相手に通知する場合がある。上記実施の形態１〜実施の形態７において、ＣＱＩ以外の上記制御信号に対しても、ＣＱＩと同様に適用可能である。ＣＱＩの送信データ量を削減することに加えて、ＣＱＩ以外の上記制御信号についても、隣接セルの基地局装置に対しては下位ビットのみ送信するか、または送信しないようにすることにより、消費電力及び与干渉を更に低減することができる。
【０１６７】
また、上記実施の形態１〜実施の形態７において、隣接セルの基地局装置は、隣接セルのＣＱＩの全ビットもしくは在圏セルのＣＱＩの全ビットを、各実施の形態に記載した所定のタイミング及び経路で取得し、その上位ビットを隣接セルのＣＱＩの上位ビットとして使用していた。しかし、上位ビットの取得手順はこれに限られるものではない。例えば、隣接セルの基地局装置は、ＣＱＩの全ビットではなく上位ビットのみを取得しても良いし、上位ビットを複数回に分けて取得しても良い。すなわち、隣接セルの基地局装置は、ＣＱＩの下位ビット以外のビットが含まれる情報を取得すればよく、それがＣＱＩの全ビットである必要はない。なお、通信の開始直後など隣接セルにて使用可能な上位ビットの情報が不足している場合には、通信環境が悪い場合に相当するビットの値（上述した各実施の形態では「０」）を、上位ビットの仮の値として用いてもよい。
【０１６８】
（実施の形態８）
＜実施の形態８の概要＞
上記実施の形態１〜実施の形態７は、通信端末装置から在圏セルおよび隣接セルのそれぞれの基地局装置に送信される制御信号に関するものであった。しかし、実施の形態１〜実施の形態７と同様の思想は、基地局装置から通信端末装置に送られる制御信号に対しても適用できる。本実施の形態は、基地局装置から通信端末装置に送信される制御信号に関するものである。
【０１６９】
このような制御信号としては、例えば３ＧＰＰ規格(ＴＳ２５．３３１  １０．３．６．４１ｂ参照)におけるPower Offset for S-CPICH for MIMO（以下、「送信電力オフセット信号」と記載する）がある。送信電力オフセット信号は、第１共通パイロットチャネル信号であるプライマリ共通パイロットチャネル（以下、「Ｐ−ＣＰＩＣＨ」と記載する）信号と、第２共通パイロットチャネル信号であるセカンダリ共通パイロットチャネル（以下、「Ｓ−ＣＰＩＣＨ」と記載する）信号との送信電力差を示す。なお、以下では、Ｐ−ＣＰＩＣＨとＳ−ＣＰＩＣＨとを総称してＣＰＩＣＨとも記載する。
【０１７０】
Ｐ−ＣＰＩＣＨは、ＭＩＭＯ動作に対応しているか否かに関わらず、全ての通信端末装置において使用可能なパイロットチャネルである。一方、Ｓ−ＣＰＩＣＨは、ＭＩＭＯ動作に対応している通信端末装置においてＭＩＭＯの各サブストリームにおける通信環境の推定に用いるパイロットチャネルであり、ＭＩＭＯ非対応の通信端末装置では使用されない。
【０１７１】
ＭＩＭＯ非対応の通信端末装置にとっては、Ｓ−ＣＰＩＣＨはＰ−ＣＰＩＣＨに対して干渉する邪魔な信号でしかない。従って、基地局装置は、セル内のＭＩＭＯ対応及び非対応の通信端末装置の状況等に応じて、Ｓ−ＣＰＩＣＨの送信電力を低減することによりＰ−ＣＰＩＣＨに対する干渉を抑制する制御を行うことがある。送信電力オフセット信号は、この低減量（送信電力オフセット）を示すものである。ＭＩＭＯに対応している通信端末装置は、受信した送信電力オフセット信号に基づいてＳ−ＣＰＩＣＨの電力がどの程度抑えられているのかを確認し、Ｓ−ＣＰＩＣＨの受信時に、どの程度Ｓ−ＣＰＩＣＨを増幅すべきか等を判断する。そして、ＭＩＭＯに対応している通信端末装置は、増幅したＳ−ＣＰＩＣＨを用いて伝搬路補償処理を行う。
【０１７２】
３ＧＰＰ規格では、送信電力オフセット信号は、３ビットで表されている。しかし、Ｐ−ＣＰＩＣＨとＳ−ＣＰＩＣＨとの送信電力オフセットが小さい場合には、上位桁を示すビットが「０」となり、上位桁が実質的に不要となる可能性が高い。
【０１７３】
ここで、Dual Cell動作している通信端末装置は、セルの境界付近に存在しているために通信環境が安定して悪い状況にある。そのため、Dual Cell動作している通信端末装置は、Ｓ−ＣＰＩＣＨの送信電力が低減された場合、Ｓ−ＣＰＩＣＨの受信自体が困難になる可能性が高い。従って、基地局装置は、Dual Cell動作している通信端末装置が存在する場合、Ｐ−ＣＰＩＣＨと比べてＳ−ＣＰＩＣＨの電力をほとんど下げないよう制御する。すなわち、基地局装置は、送信電力オフセットが小さく上位ビットが「０」となる状態を継続させると考えられる。そのため、本実施の形態に係る基地局装置は、Dual Cell動作している通信端末装置が存在する場合には、上位ビットを送らないことにより、不要なビットの送信を抑えスループットの改善を図る。
【０１７４】
＜通信システムの構成＞
本発明の実施の形態８における通信システム１７００の構成について、図１６を用いて説明する。
【０１７５】
図１６より、通信端末装置１６７０は、ＭＩＭＯに対応しており、基地局装置１６５０のセルＳ３のセルエッジに存在している。通信端末装置１６６０は、ＭＩＭＯに対応しており、基地局装置１６００のセルＳ４に存在している。
【０１７６】
基地局装置１６５０は、通信端末装置１６７０を含むセルＳ３の全ての通信端末装置に対して、セルＳ３用のＣＰＩＣＨを送信する（＃１１）。また、基地局装置１６５０は、通信端末装置１６７０を含むセルＳ３のＭＩＭＯに対応している通信端末装置に対して、セルＳ３用の送信電力オフセット信号を送信する（＃１１）。
【０１７７】
基地局装置１６００は、通信端末装置１６６０を含むセルＳ４の全ての通信端末装置に対して、セルＳ４用のＣＰＩＣＨを送信する（＃１２）。また、基地局装置１６００は、通信端末装置１６６０を含むセルＳ４のＭＩＭＯに対応している通信端末装置に対して、セルＳ４用の送信電力オフセット信号を送信する（＃１２）。ここで、セルＳ４は、基地局装置１６００から見て自セルである。
【０１７８】
基地局装置１６００は、通信端末装置１６７０を含むセルＳ３の全ての通信端末装置に対して、セルＳ３用のＣＰＩＣＨを送信する（＃１３）。また、基地局装置１６００は、通信端末装置１６７０を含むセルＳ３のＭＩＭＯに対応している通信端末装置に対して、セルＳ３用の送信電力オフセット信号を送信する（＃１３）。ここで、セルＳ３は、基地局装置１６００から見て隣接セルである。
【０１７９】
基地局装置１６００が送信するセルＳ３用の送信電力オフセット信号は、基地局装置１６５０が送信するセルＳ３用の送信電力オフセット信号と同一である。ただし、一般的に各セルは重複が少なくなるよう配置されているので、基地局装置１６００が送信するセルＳ３用の送信電力オフセット信号は、セルＳ３のセルエッジに存在する通信端末装置のみが受信できる。通信端末装置１６７０は、受信したセルＳ３用のＣＰＩＣＨ及びセルＳ３用の送信電力オフセット信号が、基地局装置１６００から送信されたものであるのか、基地局装置１６５０から送信されたものであるのかを区別することができない。これは、Dual Cell動作では、どちらの基地局装置からも同一の信号が送信されるためである。従って、通信端末装置１６７０は、受信したセルＳ３用のＣＰＩＣＨ及びセルＳ３用の送信電力オフセット信号を、マルチパスで直接波と反射波とが届いた場合と同様に処理する。
【０１８０】
即ち、図１６の場合、基地局装置１６００は、セルＳ４用の送信電力オフセット信号の送信（＃１２の送信）と、セルＳ３用の送信電力オフセット信号の送信（＃１３の送信）とを行う。Dual Cell動作している通信端末装置１６７０は、セルＳ３の境界付近に存在しているために通信環境が安定して悪い状況にある。従って、基地局装置１６００が送信するセルＳ３用の送信電力オフセット信号のオフセット値は、基地局装置１６００が送信するセルＳ４用の送信電力オフセット信号のオフセット値よりも小さくなる。この結果、基地局装置１６００が送信するセルＳ３用の送信電力オフセット信号のオフセット値のビット数は、基地局装置１６００が送信するセルＳ４用の送信電力オフセット信号のオフセット値のビット数に比べて低減することができる。
【０１８１】
＜基地局装置の構成＞
本発明の実施の形態８に係る基地局装置１６００の構成について、図１７を用いて説明する。図１７の基地局装置１６００は、図１６の基地局装置１６００と同一であり、制御信号の送信装置である。
【０１８２】
基地局装置１６００は、符号化及び変調部１６０１と、第１の送信電力オフセット信号生成部１６０２と、第２の送信電力オフセット信号生成部１６０３と、Ｐ／Ｓ変換部１６０５と、送信部１６０６と、アンテナ１６０７とから主に構成されている。
【０１８３】
符号化及び変調部１６０１は、入力された送信信号に対して、符号化処理及び変調処理を施す。そして、符号化及び変調部１６０１は、変調後の送信信号をＰ／Ｓ変換部１６０５に出力する。
【０１８４】
第１の送信電力オフセット信号生成部１６０２は、Ｐ−ＣＰＩＣＨ信号と、Ｓ−ＣＰＩＣＨ信号との送信電力差を示す送信電力オフセット信号を生成してＰ／Ｓ変換部１６０５に出力する。第１の送信電力オフセット信号生成部１６０２が生成する送信電力オフセット信号は、自セル（図１６のセルＳ４）に存在する通信端末装置に対して送信される信号であり、自セルに存在する通信端末装置と基地局装置１６００との間における通信の制御に用いられる。
【０１８５】
第２の送信電力オフセット信号生成部１６０３は、Ｐ−ＣＰＩＣＨ信号とＳ−ＣＰＩＣＨ信号との送信電力差を示す送信電力オフセット信号を生成して選択部１６０４に出力する。第２の送信電力オフセット信号生成部１６０３が生成する送信電力オフセット信号は、基地局装置１６００の隣接セル（図１６のセルＳ３）に存在する通信端末装置（図１６の通信端末装置１６７０）に対して送信される信号であり、隣接セルに存在する通信端末装置と隣接セルの基地局装置（図１６の基地局装置１６５０）との間における通信の制御に用いられる。第２の送信電力オフセット信号生成部１６０３が生成する送信電力オフセット信号は、第１の送信電力オフセット信号生成部１６０２が生成する送信電力オフセット信号と比較して、送信電力差が小さいためビット数が少ない。
【０１８６】
選択部１６０４は、第２の送信電力オフセット信号生成部１６０３から入力されたＣＱＩの下位ビットを選択し、選択した下位ビットをＰ／Ｓ変換部１６０５に出力する。選択部１６０４において下位ビットを選択することにより、ここで、隣接セルに存在する通信端末装置に対して送信するＳ−ＣＰＩＣＨの送信電力は、上記で説明したように、自セルに存在する通信端末装置に対して送信するＳ−ＣＰＩＣＨの送信電力よりも大きくする必要がある。従って、隣接セルに存在する通信端末装置に対して送信する送信電力オフセット信号が示す値は、自セルに存在する通信端末装置に対して送信する送信電力オフセット信号が示す値よりも小さい。この結果、隣接セルに存在する通信端末装置は、下位ビットのみの送信電力オフセット信号を受信しても、Ｓ−ＣＰＩＣＨを正しく増幅して精度良く伝搬路補償処理を行うことができる。
【０１８７】
Ｐ／Ｓ変換部１６０５は、第１の送信電力オフセット用信号生成部１６０２及び選択部１６０４とから入力された直列データ形式の送信電力オフセット信号を、並列データ形式の送信電力オフセット信号に変換する。Ｓ／Ｐ変換部１６０４は、並列データ形式に変換した送信電力オフセット信号を送信部１６０６に出力する。Ｐ／Ｓ変換部１６０５は、符号化及び変調部１６０１から入力された変調後の送信信号を直列データ形式から並列データ形式に変換して送信部１６０６に出力する。
【０１８８】
送信部１６０６は、Ｐ／Ｓ変換部１６０５から入力された、自セルの通信端末装置に対する送信電力オフセット信号、隣接セルの通信端末装置に対する送信電力オフセット信号、及び送信信号に対して送信処理を施す。送信部１６０６は、送信処理を施した自セルの通信端末装置に対する送信電力オフセット信号、隣接セルの通信端末装置に対する送信電力オフセット信号、及び送信信号を、アンテナ１６０７を介して送信する。
【０１８９】
＜送信電力オフセット信号の送信方法＞
本発明の実施の形態８における送信電力オフセット信号の送信方法について、図１８を用いて説明する。
【０１９０】
第１の送信電力オフセット信号生成部１６０２は、図１８に示すように、自セル（図１６のセルＳ４）に在圏する通信端末装置に対して、送信電力差ｄ１を通知する送信電力オフセット信号を生成する。そして、基地局装置１６００は、送信電力差ｄ１の送信電力オフセット信号を自セルに在圏する通信端末装置に対して送信する。
【０１９１】
第２の送信電力オフセット信号生成部１６０３は、隣接セル（図１６のセルＳ３）に在圏する通信端末装置に対して、送信電力差ｄ２（ｄ１＞ｄ２）を通知する送信電力オフセット信号を生成する。そして、基地局装置１６００は、送信電力差ｄ２の送信電力オフセット信号を隣接セルに在圏する通信端末装置に対して送信する。
【０１９２】
因みに、従来、基地局装置は、隣接セルの通信端末装置に対して、自セルの通信端末装置と同一範囲の送信電力差を示す送信電力オフセット信号を送信していた。従って、例えば、送信電力オフセット信号の１回の送信当たりの送信データ量を３ビットとし、２ｍｓｅｃ毎に送信電力オフセット信号を送信し、隣接セル数が３であり、かつ送信電力オフセット信号の送信対象となる通信端末装置の数が５００の場合、従来、１ユーザ当たりの送信電力オフセット信号の送信データ量は、１ｓｅｃ当たり４５００（３ビット×３セル×５００）ビットになる。本実施の形態では、上記送信データ量を削減することができる。
【０１９３】
また、本実施の形態に係る基地局装置は、Dual Cell動作を行っている通信端末装置に対してＳ−ＣＰＩＣＨをより確実に届けるために、Dual Cell動作を行っている通信端末装置に送信する送信電力オフセット信号のオフセットの値を小さくした。ここで、Ｐ−ＣＰＩＣＨおよびＳ−ＣＰＩＣＨは、基地局装置が通信可能な全ての通信端末装置に送信されるパイロットチャネルであるため、Dual Cell動作していない通信端末装置に対しても同様の制御が一括して行われる。その結果、ＭＩＭＯ非対応の通信端末装置は、Ｐ−ＣＰＩＣＨに対してＳ−ＣＰＩＣＨが干渉し易くなり、Ｐ−ＣＰＩＣＨを復号し難くなるという悪影響が生じる。しかし、セルの中心付近に存在するＭＩＭＯ非対応の通信端末装置は、Ｐ−ＣＰＩＣＨを強い電力で受信できるので、Ｓ−ＣＰＩＣＨをノイズとみなしてキャンセルすることが可能である。また、セルの境界付近に存在するＭＩＭＯ非対応の通信端末装置は、Ｓ−ＣＰＩＣＨの干渉の有無に関わらず、Ｐ−ＣＰＩＣＨの受信が困難である可能性が高い。従って、本実施の形態では、基地局装置が本実施の形態の動作を行った場合であっても、ＭＩＭＯ非対応の通信端末装置に対する悪影響は限定的であり、システム全体における通信環境は改善される。
【０１９４】
＜実施の形態８の効果＞
本実施の形態では、基地局装置から隣接セルの通信端末装置に対して送信する送信電力オフセット信号により通知する送信電力差を、基地局装置から自セルの通信端末装置に対して送信する送信電力オフセット信号により通知する送信電力差よりも小さくする。これにより、制御信号の送信データ量を少なくすることにより、他の通信端末装置に与える干渉量を抑制することができる。
【０１９５】
また、本実施の形態では、隣接セルの通信端末装置は自セルと隣接セルとの境界に居るので、Ｐ−ＣＰＩＣＨの送信電力とＳ−ＣＰＩＣＨの送信電力との送信電力差はそれほど大きくならない。これにより、基地局装置から隣接セルの通信端末装置に対して送信する送信電力オフセット信号により通知する送信電力差を小さくしたにも関わらず、ＭＩＭＯに非対応の通信端末装置に対して与える干渉を防ぐことができる。
【０１９６】
＜実施の形態８の変形例＞
本実施の形態において、共通パイロットチャネルの送信電力オフセット信号の送信データ量を削減したが、他の制御信号についても同様の手順によって送信データ量を削減することができる。
【０１９７】
＜実施の形態１〜実施の形態８に共通の変形例＞
上記実施の形態１〜実施の形態８では、制御信号の下位ビットのみを選択して送信することでデータ量の削減を図った。しかし、制御信号のフォーマットによっては、下位ビットが必ずしも制御信号の値の下位桁を示さない場合がある。この場合には、下位桁を示すビットのみを選択して送信する。なお、制御信号を送信する各装置が選択して送信する対象は、より一般的には、制御信号のビットのうち下位桁に対応するビットである。
【産業上の利用可能性】
【０１９８】
本発明に係る通信端末装置、基地局装置及び送信方法は、隣接セルの通信相手装置に対して制御信号を送信するのに好適である。
【符号の説明】
【０１９９】
１００  通信端末装置
１０１、１１０  アンテナ
１０２  受信部
１０３  回線品質推定部
１０４  第１の伝送レート要求用信号生成部
１０５  第２の伝送レート要求用信号生成部
１０６  選択部
１０７  符号化及び変調部
１０８  Ｐ／Ｓ変換部
１０９  送信部
【図１】
2014171008.tif 000003
【図２】
2014171008.tif 000004
【図３】
2014171008.tif 000005
【図４】
2014171008.tif 000006
【図５】
2014171008.tif 000007
【図６】
2014171008.tif 000008
【図７】
2014171008.tif 000009
【図８】
2014171008.tif 000010
【図９】
2014171008.tif 000011
【図１０】
2014171008.tif 000012
【図１１】
2014171008.tif 000013
【図１２】
2014171008.tif 000014
【図１３】
2014171008.tif 000015
【図１４】
2014171008.tif 000016
【図１５】
2014171008.tif 000017
【図１６】
2014171008.tif 000018
【図１７】
2014171008.tif 000019
【図１８】
2014171008.tif 000020